(57)【要約】【課題】人体に巻き付けて装着していても人体の移動の邪魔になり難いマッサージ装置を得ることにある。【解決手段】圧迫帯１０Ｌ，１０Ｒは下腿部に着脱自在に巻き付けられる。空気袋１５Ｌ，１５Ｒは圧迫帯１０Ｌ，１０Ｒに設けられている。駆動装置２０Ｌ，２０Ｒは圧迫帯１０Ｌ，１０Ｒに取り付けられている。駆動装置２０Ｌは圧迫帯１０Ｌを左脚６０Ｌの下腿部に装着したときに右脚６０Ｒの下腿部と圧迫帯１０Ｌとの間に挟まれない位置に配設されている。駆動装置２０Ｒは圧迫帯１０Ｒを右脚６０Ｒの下腿部に装着したときに左脚６０Ｌの下腿部と圧迫帯１０Ｒとの間に挟まれない位置に配設されている。これにより、駆動装置２０ｌ，２０ｒと圧迫帯１０Ｌ，１０Ｒとを人体に装着した状態で人体と共に移動させることができるとともに、駆動装置１０Ｌ，１０Ｒが邪魔になり難い。【選択図】    図３
2004147949.tif 000002
【特許請求の範囲】
【請求項１】
人体の施療部位に着脱自在に巻き付けて装着される圧迫帯と、この圧迫帯に設けられた膨縮可能な空気袋と、前記圧迫帯に取り付けられて前記空気袋に空気を供給する駆動装置と、を具備し、
前記駆動装置は前記圧迫帯を前記施療部位に装着したときに前記人体と前記圧迫帯との間に挟まれない位置に配設されているマッサージ装置。
【請求項２】
人体の一方の脚又は腕に着脱自在に巻き付けて装着される第１の圧迫帯と、この第１の圧迫帯に設けられた膨縮可能な第１の空気袋と、前記第１の圧迫帯に取り付けられて前記第１の空気袋に空気を供給する第１の駆動装置と、前記人体の他方の脚又は腕に着脱自在に巻き付けて装着される第２の圧迫帯と、この第２の圧迫帯に設けられた膨縮可能な第２の空気袋と、前記第２の圧迫帯に取り付けられて前記第２の空気袋に空気を供給する第２の駆動装置と、を具備し、
前記第１、第２の駆動装置は、前記第１、第２の圧迫帯を前記人体の脚又は腕に装着したときに前記人体と前記第１、第２の圧迫帯との間に挟まれない位置に配設されているとともに、前記第１の駆動装置と前記第２の駆動装置との無線による通信を可能とする通信手段を備えているマッサージ装置。
【発明の詳細な説明】
【０００１】
【発明の属する技術分野】
本発明は、圧迫帯を人体に巻き付けて装着し、この圧迫帯に設けられた空気袋の膨縮で人体の施療部位をマッサージするマッサージ装置に関する。
【０００２】
【従来の技術】
マッサージ装置としては、従来、身体の腿部若しくはふくらはぎ部等、脚部に巻き付けられて、身体側を外側から押圧するようにして使用される健康用脚部バンドが知られている。この健康用脚部バンドは、内部に空気が充填される袋状体と、この袋状体を脚部に止めるためのストッパとしての一対の面ファスナーと、袋状体に空気を供給する空気供給手段としてのバルブ付きエアポンプとを具備している。
【０００３】
袋状体は内側層と外側層とを備えて構成されている。内側層及び外側層の内側には袋が形成されており、袋の内側には帯状のゴムチューブが配置されている。ゴムチューブは内部に充填された空気を抜くための空気抜き用細孔が設けられている。ゴムチューブの一端にはパイプ状の連結部材が取り付けられており、この連結部材にゴムホースを介してバルブ付きエアポンプが連結されている。ゴムホースは連結部材と着脱自在になっている。袋状体の一端部の外側（表側）には係着する一対の面ファスナーのうちの一方の面ファスナーが設けられている。また、袋状体の他端部の内側（裏側）には他方の面ファスナーが設けられている。
【０００４】
この健康用脚部バンドは、以下のようにして使用する。まず、袋状体を脚部に巻いた後、両端部の面ファスナーを互いに重ね合わせて係着させ、バルブを閉じた状態でエアポンプによりゴムチューブ内にエアを送る。ゴムチューブ内が適度な圧力に達した時点でエアの供給を止めることで脚部を押圧する。ゴムチューブ内のエアは１５分〜３０分位で自然に排気される。ゴムチューブ内のエアを早く抜きたい場合は、バルブを開ける或いはゴムホースを連結部材から外すことでゴムチューブ内のエアが抜けるようになっている（例えば、特許文献１参照。）。
【０００５】
【特許文献１】
特開２０００−１６９４２９号公報（第２−４頁、図２）
【０００６】
【発明が解決しようとする課題】
従来の健康用脚部バンドは、上述のように、袋状体がゴムホースを介して例えば床面上に置かれるエアポンプと連通している。そのため、袋状体を脚部に装着した状態でエアポンプを引きずることなく移動できる範囲はゴムホースの届く範囲内に制限される。しかも、ゴムホースの届く範囲内で移動する場合であっても、移動時にはゴムホース及びエアポンプが邪魔になり易い。さらに、ゴムホースが届かない場所に移動したい場合はエアポンプを手に持って移動しなくてはならないので不便である。
【０００７】
本発明が解決しようとする課題は、人体に巻き付けて装着していても人体の移動の邪魔になり難いマッサージ装置を得ることにある。
【０００８】
【課題を解決するための手段】
前記課題を解決するために、本発明のマッサージ装置は、人体の施療部位に着脱自在に巻き付けて装着される圧迫帯に膨縮可能な空気袋が設けられているとともにこの空気袋に空気を供給する駆動装置が取り付けられており、駆動装置は圧迫帯を施療部位に装着したときに人体と圧迫帯との間に挟まれない位置に配設されている。
【０００９】
この発明によれば、駆動装置が圧迫帯に取り付けられ、且つ、圧迫帯を施療部位に装着したときに人体と圧迫帯との間に挟まれない位置に配設されているので、駆動装置と圧迫帯とを人体に装着した状態で人体と共に移動させることができるとともに、駆動装置が邪魔になり難い。
【００１０】
【発明の実施の形態】
以下、図１〜図４を参照して本発明の第１の実施形態を説明する。
【００１１】
本実施形態に係るマッサージ装置１は、図１に示すように、例えば両脚６０Ｌ，６０Ｒのふくらはぎ部６１をマッサージするものであって、左脚６０Ｌのふくらはぎ部６１をマッサージする左脚用マッサージ機２Ｌと、右脚６０Ｒのふくらはぎ部６１をマッサージする右脚用マッサージ機２Ｒとを備えている。
【００１２】
左脚用マッサージ機２Ｌは、図２及び図３に示すように、第１の圧迫帯としての左脚用圧迫帯１０Ｌ、第１の空気袋としての左脚用空気袋１５Ｌ、及び第１の駆動装置としての左脚用駆動装置２０Ｌ等を備えて構成されている。
【００１３】
一方、右脚用マッサージ機２Ｒは、図２及び図３に示すように、第２の圧迫帯としての右脚用圧迫帯１０Ｒ、第２の空気袋としての右脚用空気部１５Ｒ、及び第２の駆動装置としての右脚用駆動装置２０Ｒ等を備えて構成されている。
【００１４】
左脚用圧迫帯（以下、左脚用カフという）１０Ｌ及び右脚用圧迫帯（以下、右脚用カフという）１０Ｒは夫々、下腿部と接触する接触面１１ａを有する裏側層１１、外部に露出する露出面１２ａを有する表側層１２、及び互いに係着する一対の面ファスナー１３，１４等を備えている。裏側層１１及び表側層１２は例えば合成繊維等からなる。接触面１１ａと露出面１２ａを外側に向けて互いに重ね合わされた裏側層１１と表側層１２とは、内部に後述する空気袋１５を収容する収容空間Ｓを中央部付近に設けた状態で縫合又は接着等されている。
【００１５】
左脚用カフ１０Ｌには、表側層１２の露出面１２ａの一端部に一方の面ファスナー１３が取り付けられており、裏側層１１の接触面１１ａの他端部に他方の面ファスナー１４が取り付けられている。一方、右脚用カフ１０Ｒには、裏側層１１の接触面１１ａの一端部に一方の面ファスナー１３が取り付けられており、表側層１２の露出面１２ａ他端部に他方の面ファスナー１４が取り付けられている。左脚用及び右脚用カフ１０Ｌ，１０Ｒは、図１に示すように、脛部６２側で一対の面ファスナー１３，１４を重ね合わせるようにして左脚６０Ｌ及び右脚６０Ｒの下腿部に着脱自在に巻き付けられて装着される。
【００１６】
ところで、図３に示すように、人体の左脚６０Ｌと右脚６０Ｒとは互いに体軸を境に略線対称となっており、両脚６０Ｌ，６０Ｒの下腿部の横断面形状は、前側（脛部６２側）に行く程細く、後側（ふくらはぎ部６１側）が丸みを帯びて太くなっているとともに、前端寄りの内側部分は脛骨に沿って少し凹んだ形状をなしている。そのため、図２では左脚用及び右脚用カフ１０Ｌ，１０Ｒを略台形状に簡略化して示しているが、左脚用カフ１０Ｌは左脚６０Ｌの下腿部に上述のように両端部に設けられた面ファスナー１３，１４を脛部６２側で重ねるようにして装着した状態で移動してもずり落ち難いように、左脚６０Ｌの下腿部に沿う形状となるように設計するのが好ましい。右脚用カフ１０Ｒもまた、右脚６０Ｒの下腿部に上述のように両端部に設けられた面ファスナー１３，１４を脛部６２側で重ねるようにして装着した状態で移動してもずり落ち難いように、右脚６０Ｒの下腿部に沿う形状となるように設計するのが好ましい。なお、これらマッサージ機２Ｌ，２Ｒはカフ１０Ｌ，１０Ｒを対称形状に形成する等して、左右どちらの下腿部にも装着可能なように形成してもよい。
【００１７】
左脚用空気袋１５Ｌは左脚用カフ１０Ｌの内部に収容されている。この空気袋１５Ｌは、左脚用カフ１０Ｌを左脚６０Ｌの下腿部に装着したときに左脚６０Ｌのふくらはぎ部６１に対向するように配設される。すなわち、上述したように、左脚用カフ１０Ｌは両端部に設けられた面ファスナー１３，１４を脛部６２側で重ねるようにして装着するように形成されているため、左脚用空気袋１５Ｌは、図２に示すように、左脚用カフ１０Ｌの中央部付近に配設されることとなる。また、この空気袋１５Ｌには図示しない排気弁が設けられている。
【００１８】
一方、右脚用空気袋１５Ｒは右脚用カフ１０Ｒの内部に収容されている。この空気袋１５Ｒは、右脚用カフ１０Ｒを右脚６０Ｒの下腿部に装着したときに右脚６０Ｒのふくらはぎ部６１に対向するように配設される。すなわち、上述したように、右脚用カフ１０Ｒは両端部に設けられた面ファスナー１３，１４を脛部６２側で重ねるようにして装着するように形成されているため、右脚用空気袋１５Ｒは、図２に示すように、右脚用カフ１０Ｒの中央部付近に配設されることとなる。また、この空気袋１５Ｒには図示しない排気弁が設けられている。
【００１９】
左脚用駆動装置２０Ｌは、後述する各種部品２２Ｌ〜２５Ｌが直方体形状のパッケージ２１Ｌに収容されてユニット化されている。この駆動装置２０Ｌは、左脚用カフ１０Ｌを左脚６０Ｌの下腿部に装着したときに右脚６０Ｒの下腿部と左側用カフ１０Ｌとの間に挟まれない位置、例えば、図２及び図３に示すように、脛部６２の真中から外側にずれた斜め前方（図３において左斜め上方）に配設されて、カフ１０Ｌの上縁部に取り付けられている。
【００２０】
右脚用駆動装置２０Ｒは、後述する各種部品２２Ｒ〜２５Ｒが直方体形状のパッケージ２１Ｒに収容されてユニット化されている。この駆動装置２０Ｒは、右脚用カフ１０Ｒを右脚６０Ｒの下腿部に装着したときに左脚６０Ｌの下腿部と右側用カフ１０Ｒとの間に挟まれない位置、例えば、図２及び図３に示すように、脛部６２の真中から外側にずれた斜め前方（図３において右斜め上方）に配設されて、カフ１０Ｒの上縁部に取り付けられている。
【００２１】
また、図３に示すように、駆動装置２０Ｌ，２０Ｒのパッケージ２１Ｌ，２１Ｒの厚さがカフ１０Ｌ，１０Ｒの厚さよりも厚い場合は、駆動装置２０Ｌ，２０Ｒがカフ１０Ｌ，１０Ｒを装着している脚に干渉しないように、駆動装置２０Ｌ，２０Ｒの裏面がカフ１０Ｌ，１０Ｒの裏側層１１の露出面１１ａから突出しないように取り付けるのが好ましい。
【００２２】
左脚用及び右脚用駆動装置２０Ｌ，２０Ｒは、例えば、図４に示すようになっている。すなわち、左脚用及び右脚用駆動装置２０Ｌ，２０Ｒは夫々、左脚用及び右脚用操作部２２Ｌ，２２Ｒ、左脚用及び右脚用制御部２３Ｌ，２３Ｒ、左脚用及び右脚用エアーコンプレッサ２４Ｌ，２４Ｒ、及び通信手段としての左脚用及び右脚用送受信部２５Ｌ，２５Ｒ等の各種部品を備えている。
【００２３】
まず、左脚用駆動装置２０Ｌについて説明する。左脚用操作部２２Ｌは、図示しないが、例えば電源釦、強度設定釦、速度設定釦等の各種操作釦を備えており、これらの操作釦を入力操作することで各種マッサージ情報を左脚用制御部２３Ｌに指示するものである。電源釦は左脚用エアーコンプレッサ２４Ｌ及び後述する右脚用エアーコンプレッサ２４Ｒの駆動・停止を制御部２３Ｌに指示するものである。強度設定釦はマッサージの強さすなわち左脚用及び右脚用空気袋１５Ｌ，１５Ｒ内の圧力（供給する空気量）を制御部２３Ｌに指示するものである。速さ設定釦はマッサージの速さすなわち左脚用及び右脚用空気袋１５Ｌ，１５Ｒの膨縮の周期を制御部２３Ｌに指示するものである。この操作部２２Ｌは、マッサージ装置１の装着者が操作し易いように、例えばパッケージ２１Ｌの表面に露出している。
【００２４】
マイクロコンピュータからなる左脚用制御部２３Ｌは、左脚用操作部２２Ｌ，左脚用エアーコンプレッサ２４Ｌ、左脚用送受信部２５Ｌ、及び左脚用空気袋１５Ｌと夫々接続している。この制御部２３Ｌは左脚用操作部２２Ｌで入力されたマッサージ情報（以下、第１マッサージ情報という）に従って左脚用エアーコンプレッサ２４Ｌの駆動・停止、及び左脚用空気袋１５Ｌの排気弁の開閉を制御するとともに、第１マッサージ情報を左脚用送受信部２５Ｌに伝達する。また、後述するように、左脚用送受信部２５Ｌには右脚用駆動装置２０Ｒが備える右脚用操作部２２Ｒで入力されたマッサージ情報（以下、第２マッサージ情報という）が受信される。この制御部２３Ｌは左脚用送受信部２５Ｌで受信された第２マッサージ情報に従って左脚用エアーコンプレッサ２４Ｌの駆動・停止、及び左脚用空気袋１５Ｌの排気弁の開閉を制御する。
【００２５】
左脚用エアーコンプレッサ２４Ｌは左脚用空気袋１５Ｌに空気を供給するものである。このエアーコンプレッサ２４Ｌは、例えば、空気の吐出・休止を周期的に繰り返すものであり、１回に吐出される空気量及び吐出・休止の周期は、第１及び第２マッサージ情報（強度及び速さ）に従って左脚用制御部２３Ｌで制御される。このエアーコンプレッサ２４Ｌの空気吐出口にはフレキシブルチューブ１６Ｌの一端が連通されている。このフレキシブルチューブ１６Ｌの他端はパッケージ２１Ｌの外側に延出しており、図２に示すように左脚用カフ１０Ｌの内部に配線されて左脚用空気袋１５Ｌに連通されている。
【００２６】
左脚用送受信部２５Ｌは、左脚用操作部２２Ｌで指示され、左脚用制御部２３Ｌを介して伝達された第１マッサージ情報を無線例えば赤外線等で右脚用駆動装置２０Ｒが備える右脚用送受信部２５Ｒに送信するものである。また、後述するように、右脚用送受信部２５Ｒからは第２マッサージ情報が無線例えば赤外線等で送信される。この左脚用送受信部２５Ｌは右脚用送受信部２５Ｒから送信された第２マッサージ情報を受信し、この第２マッサージ情報を左脚用制御部２５Ｌに伝達する。
【００２７】
次に、右脚用駆動装置２０Ｒについて説明する。右脚用操作部２２Ｒは、左脚用操作部２２Ｌと同様に、図示しないが、例えば電源釦、強度設定釦、速度設定釦等の各種操作釦を備えている。この操作部２２Ｒはこれらの操作釦を入力操作することで各種マッサージ情報（第２マッサージ情報）を右脚用制御部２３Ｒに指示するものである。電源釦は左脚用及び右脚用エアーコンプレッサ２４Ｌ，２４Ｒの駆動・停止を制御部２３Ｒに指示するものである。強度設定釦はマッサージの強さすなわち左脚用及び右脚用空気袋１５Ｌ，１５Ｒ内の圧力を制御部２３Ｒに指示するものである。速さ設定釦はマッサージの速さすなわち左脚用及び右脚用空気袋１５Ｌ、１５Ｒの膨縮の周期を制御部２３Ｒに指示するものである。この操作部２２Ｒは、マッサージ装置１の装着者が操作し易いように、例えばパッケージ２１Ｒの表面に設けられている。
【００２８】
マイクロコンピュータからなる右脚用制御部２３Ｒは、右脚用操作部２２Ｒ，右脚用エアーコンプレッサ２４Ｒ、右脚用送受信部２５Ｒ、及び右脚用空気袋１５Ｒと夫々接続している。この制御部２３Ｒは第２マッサージ情報に従って右脚用エアーコンプレッサ２４Ｒの駆動・停止、及び右脚用空気袋２５Ｒの排気弁の開閉を制御するとともに、第２マッサージ情報を右脚用送受信部２５Ｒに伝達する。また、後述するように、右脚用送受信部２５Ｒには第１マッサージ情報が受信される。この制御部２３Ｒは右脚用送受信部２５Ｒで受信された第１マッサージ情報に従って右脚用エアーコンプレッサ２４Ｒの駆動・停止、及び右脚用空気袋１５Ｒの排気弁の開閉を制御する。
【００２９】
右脚用エアーコンプレッサ２４Ｒは右脚用空気袋１５Ｒに空気を供給するものである。このエアーコンプレッサ２４Ｒは、例えば、空気の吐出・休止を周期的に繰り返すものであり、１回の吐出空気量及び吐出・休止の周期は、第１及び第２マッサージ情報（強度及び速さ）従って右脚用制御部２３Ｒで制御される。このエアーコンプレッサ２４Ｒの空気吐出口にはフレキシブルチューブ１６Ｒの一端が連通されている。このフレキシブルチューブ１６Ｒの他端はパッケージ２１Ｒの外側に延出しており、図２に示すように右脚用カフ２１Ｒの内部に配線されて右脚用空気袋１５Ｒに連通されている。
【００３０】
右脚用送受信部２５Ｒは、右脚用操作部２２Ｒで指示され、右脚用制御部２３Ｒを介して伝達された第２マッサージ情報を無線例えば赤外線等で前記左脚用送受信部２５Ｌに送信するものである。また、既述のように、左脚用送受信部２５Ｒからは第１マッサージ情報が無線例えば赤外線で送信される。この右脚用送受信部２５Ｒは左脚用送受信部２５Ｌから送信された第１マッサージ情報を受信し、この第１マッサージ情報を右脚用制御部２３Ｒに伝達する。
【００３１】
このマッサージ装置１では、上述のように、左脚用駆動装置２０Ｌと右脚用駆動装置２０Ｒとが夫々無線による双方向の通信を可能とする送受信部２５Ｌ，２６Ｒを備えているので、左脚用及び右脚用操作部２２Ｌ，２２Ｒのどちらを操作した場合であっても、左脚用及び右脚用空気袋１５Ｌ，１５Ｒは第１及び第２マッサージ情報に従って同期して動作する。
【００３２】
すなわち、左脚用操作部２２Ｌが操作された場合、第１マッサージ情報は左脚用制御部２３Ｌを介して左脚用エアーコンプレッサ２４Ｌに伝達され、このエアーコンプレッサ２４Ｌの運転により左脚用空気袋１５Ｌが動作する。実質的に同時に、第１マッサージ情報は左脚用制御部２３Ｌを介して左脚用送受信部２５Ｌに伝達され、左脚用送受信部２５Ｌから無線で右脚用送受信部２５Ｒに送信される。右脚用送受信部２５Ｒで受信された第１マッサージ情報は、右脚用制御部２３Ｒを介して右脚用エアーコンプレッサに２４Ｒ伝達され、このエアーコンプレッサ２４Ｒの運転により右脚用空気袋１５Ｒが動作する。したがって、左脚用及び右脚用制御部２３Ｌ，２３Ｒには夫々第１マッサージ情報が伝達されることとなり、左脚用及び右脚用空気袋１５Ｌ，１５Ｒは第１マッサージ情報に従って同期して動作する。
【００３３】
また、右脚用操作部２２Ｒが操作された場合、第２マッサージ情報は右脚用制御部２３Ｒを介して右脚用エアーコンプレッサ２４Ｒに伝達され、このエアーコンプレッサ２４Ｒの運転により右脚用空気袋１５Ｒが動作する。実質的に同時に、第２マッサージ情報は右脚用制御部２３Ｒを介して右脚用送受信部２５Ｒに伝達され、この右脚用送受信部２５Ｒから無線で左脚用送受信部２５Ｌに送信される。左脚用送受信部２５Ｌで受信された第２マッサージ情報は、左脚用制御部２３Ｌを介して左脚用エアーコンプレッサ２４Ｌに伝達され、このエアーコンプレッサ２４Ｌに伝達され、このエアーコンプレッサ２４Ｌの運転により左脚用空気袋１５Ｒが動作する。したがって、左脚用及び右脚用制御部２３Ｌ，２３Ｒには夫々第２マッサージ情報が伝達されることとなり、左脚用及び右脚用空気袋１５Ｌ，１５Ｒとが第２マッサージ情報に従って同期して動作する。
【００３４】
さらに、このマッサージ装置１では、左脚用又は右脚用操作部２２Ｌ、２２Ｒの電源釦を操作することにより、左脚用及び右脚用エアーコンプレッサ２４Ｌ，２４Ｒの駆動及び停止が実質的に同時に行われ、これに伴って、左脚用及び右脚用空気袋１５Ｌ、１５Ｒの膨縮の開始及び停止が実質的に同時に行われる。
【００３５】
左脚用又は右脚用操作部２２Ｌ，２２Ｒの強度設定釦を操作することにより、左脚用及び右脚用エアーコンプレッサ２４Ｌ，２４Ｒから供給される空気量が等しく設定されるとともに左脚用及び右脚用空気袋１５Ｌ，１５Ｒの排気弁の開閉が調整され、これに伴って、左脚用及び右脚用空気袋１５Ｌ，１５Ｒ内の圧力が実質的に同じ圧力に調整される。
【００３６】
左脚用又は右脚用操作部２２Ｌ，２２Ｒの速度設定釦を操作することにより、左脚用及び右脚用空気袋１５Ｌ、１５Ｒの排気弁の開閉速度が等しく設定され、これに伴って、左脚用及び右脚用空気袋１５Ｌ，１５Ｒの膨縮速度が実質的に同じ速度に設定される。なお、左脚用及び右脚用空気袋１５Ｌ，１５Ｒの排気弁の開閉のタイミングは、実質的に同じにタイミングで開閉するように設定しても、一方が開いたときに他方を閉じるように設定しても、或いは、異なるタイミングで開閉するように設定してもよい。このマッサージ装置１では、例えば、実質的に同じタイミングで開閉するように設定されている。
【００３７】
前記構成のマッサージ装置１では、以下のようにしてマッサージを行う。図１に示すように、左脚用駆動装置２０Ｌを上方に位置させ、脛部６２側で一対の面ファスナー１３，１４を重ね合わせるようにして左脚用カフ１０Ｌを左脚６０Ｌの下腿部に巻き付けることで、左脚用マッサージ機２Ｌを左脚６０Ｌに装着する。これにより、図３に示すように、左脚用空気袋１５Ｌは左脚６０Ｌのふくらはぎ部６１と対向するように配設され、左脚用駆動装置２０Ｌは右脚６０Ｒの下腿部と接触しないように、右脚６０Ｒの下腿部とカフ１０Ｌとの間に挟まれない位置に配設される。このとき、駆動装置２０Ｌは、カフ１０Ｌに取り付けられており、且つ、人体とカフ１０Ｌとの間に挟まれない位置に配設されるので、カフ１０Ｌの装着の邪魔になり難い。
【００３８】
同様に、右脚用駆動装置２０Ｒを上方に位置させ、脛部６２側で一対の面ファスナー１３，１４を重ねるようにして右脚用カフ１０Ｒを右脚６０Ｒの下腿部に巻き付けることで、右脚用マッサージ機２Ｒを右脚６０Ｒに装着する。これにより、図３に示すように、右脚用空気袋１５Ｒは右脚６０Ｒのふくらはぎ部６１と対向するように配設され、右脚用制御装置２０Ｒは左脚６０Ｌの下腿部と接触しないように、左脚６０Ｌの下腿部とカフ１０Ｒとの間に挟まれない位置に配設される。このとき、駆動装置２０Ｒは、カフ１０Ｒに取り付けられており、且つ、人体とカフ１０Ｒとの間に挟まれない位置に配設されるので、カフ１０Ｒの装着の邪魔になり難い。
【００３９】
左脚用或いは右脚用操作部２２Ｌ，２２Ｒの電源釦を操作すると、左脚用及び右脚用エアーコンプレッサ２４Ｌ，２４Ｒが夫々駆動し、これに伴って、左脚用及び右脚用空気袋１５Ｌ、１５Ｒの膨張が実質的に同時に開始される。必要に応じて、左脚用或いは右脚用操作部２２Ｌ，２２Ｒの強度設定釦を操作してマッサージ強度を調整するとともに、速度設定釦を操作して左脚用及び右脚用空気袋１５Ｌ、１５Ｒの膨縮の周期を調整する。
【００４０】
エアーコンプレッサ２４Ｌ，２４Ｒが空気を供給すると空気袋１５Ｌ，１５Ｒが膨張し、これに伴いふくらはぎ部６１が圧迫される。エアーコンプレッサ２４Ｌ，２４Ｒが空気の吐出を休止すると、制御部２３Ｌ，２３Ｒは空気袋１５Ｌ，１５Ｒの排気弁を開く。空気袋１５Ｌ，１５Ｒ内の空気が排出され、これに伴いふくらはぎ部６１が弛緩される。このマッサージ装置１では、この圧迫・弛緩によりふくらはぎ部６１をマッサージする。
【００４１】
ところで、左脚用駆動装置２０Ｌはカフ１０Ｌに取り付けられ、且つ、カフ１０Ｌを左脚６０Ｌの下腿部に装着したときに右脚６０Ｒの下腿部とカフ１０Ｌとの間に挟まれない位置に配設され、右脚用駆動装置２０Ｒはカフ１０Ｒに取り付けられ、且つ、カフ１０Ｒを右脚６０Ｒの下腿部に装着したときに左脚６０Ｌの下腿部とカフ６０Ｒとの間に挟まれない位置に配設される。そのため、駆動装置２０Ｌ，２０Ｒとカフ１０Ｌ，１０Ｒとは人体に装着した状態で人体と共に移動させることができるとともに、駆動装置１０Ｌ，１０Ｒが人体の移動の邪魔になり難い。したがって、着用者はマッサージ装置１の着用中の移動が容易であり、しかも、移動時に駆動装置２０Ｌ，２０Ｒ等を手で持つ必要はない。
【００４２】
マッサージを終了させたい場合は、左脚用或いは右脚用操作部２３Ｌ，２３Ｒの電源釦を操作して、左脚用及び右脚用エアーコンプレッサ２４Ｌ，２４Ｒの駆動を停止させる。
【００４３】
また、左脚用及び右脚用マッサージ機２Ｌ，２Ｒは夫々に操作部２３Ｌ、２３Ｒを備えているため単独でも同様に使用できる。すなわち、左脚６０Ｌのふくらはぎ部６１だけをマッサージしたい場合は、左脚用マッサージ機２Ｌを左脚６０Ｌに装着し、右脚用マッサージ機２Ｒは使用しなくてもよい。同様に、右脚６０Ｒのふくらはぎ部６１だけをマッサージしたい場合は、右脚用マッサージ機２Ｒを右脚６０Ｒに装着し、左脚用マッサージ機２Ｌは使用しなくてもよい。
【００４４】
上述のように、このマッサージ装置１では、駆動装置２０Ｌ，２０Ｒがカフ１０Ｌ，１０Ｒに取り付けられ、且つ、カフ１０Ｌ，１０Ｒを人体に装着したときに人体とカフ１０Ｌ，１０Ｒとの間に挟まれない位置に配設されているので邪魔になり難い。
【００４５】
すなわち、駆動装置２０Ｌがカフ２０Ｌに取り付けられ、且つ、カフ２０Ｌを左脚６０Ｌの下腿部に装着したときに右脚６０Ｒの下腿部とカフ１０Ｌとの間に挟まれない位置に配設されているので、駆動装置２０Ｌとカフ１０Ｌとを左脚６０Ｌの下腿部に装着した状態で人体と共に移動させることができるとともに、駆動装置２０Ｌがカフ１０Ｌの装着や人体の移動の邪魔になり難い。同様に、駆動装置２０Ｒがカフ２０Ｒに取り付けられ、且つ、カフ２０Ｒを右脚６０Ｒの下腿部に装着したときに左脚６０Ｌの下腿部とカフ１０Ｒとの間に挟まれない位置に配設されているので、駆動装置２０Ｒとカフ１０Ｒとを右脚６０Ｒの下腿部に装着した状態で人体と共に移動させることができるとともに、駆動装置２０Ｒがカフ１０Ｒの装着や人体の移動の邪魔になり難い。
【００４６】
また、このマッサージ装置１は、左脚用及び右脚用駆動装置２０Ｌ，２０Ｒが、左脚用駆動装置２０Ｌと右脚用駆動装置２０Ｒとの無線による通信を可能とする送受信部２５Ｌ，２５Ｒを備えているので、左脚用マッサージ機２Ｌと右脚用マッサージ機２Ｒに夫々個別に駆動装置２０Ｌ，２０Ｒを設けても、左脚用マッサージ機２Ｌが備える左脚用空気袋１５Ｌと右脚用マッサージ機２Ｒが備える右脚用空気袋１５Ｒとの動作を同期させることができる。
【００４７】
さらに、このマッサージ装置１では、通信手段として送受信部２５Ｌ，２５Ｒを用いているため、左脚用駆動装置２０Ｌと右脚用駆動装置２０Ｒとの無線による双方向の通信が可能であり、左脚用及び右脚用操作部２２Ｌ，２２Ｒのどちらを操作した場合であっても、左脚用及び右脚用空気袋１５Ｌ，１５Ｒは第１及び第２マッサージ情報に従って同期させて動作させることができる。
【００４８】
以下、図５を参照して本発明の第２の実施形態を説明する。この実施形態は基本的には第１実施形態と同様な構成であるので、同一ないし同様な構成については第１の実施形態と同符号を付して、その構成及び作用の説明を省略し、以下、異なる部分について説明する。
【００４９】
この実施形態では、左脚用駆動装置３０Ｌは、操作部３１、左脚用エアーコンプレッサ２４Ｌ、左脚用制御部３２Ｌ、及び通信手段としての送信部３３等を備えている。右脚用駆動装置３０Ｒは、右脚用エアーコンプレッサ２４Ｒ、右脚用制御部３２Ｒ、及び通信手段としての受信部３４等を備えている。なお、左脚用及び右脚用エアーコンプレッサ２４Ｌ，２４Ｒは第１の実施形態と同じものを用いている。
【００５０】
まず、左脚用駆動装置３０Ｌについて説明する。左脚用駆動装置３０Ｌは、操作部３１、左脚用エアーコンプレッサ２４Ｌ、左脚用制御部３２Ｌ、及び送信部３３等が直方体形状のパッケージ（図示せず）に収容されてユニット化されている。この駆動装置３０Ｌは、第１の実施形態の駆動装置２０Ｌと同様に、左脚用カフ１０Ｌを左脚６０Ｌの下腿部に装着したときに右脚６０Ｒの下腿部と左側用カフ１０Ｌとの間に挟まれない位置、例えば、カフ１０Ｌの上端部の脛部６２の真中から外側にずれた斜め前方に配設されて、このカフ１０Ｌに取り付けられている。
【００５１】
操作部３１は、図示しないが、例えば電源釦、強度設定釦、速度設定釦等の各種操作釦を備えており、これらの操作釦を入力操作することで左脚用制御部３２Ｌに各種マッサージ情報が指示される。電源釦は左脚用及び右脚用エアーコンプレッサ２４Ｌ、２４Ｒの駆動・停止を制御部３２Ｌに指示するものである。強度設定釦はマッサージの強さすなわち左脚用及び右脚用空気袋１５，１５Ｒ内の圧力を制御部３２Ｌに指示するものである。速さ設定釦はマッサージの速さすなわち左脚用及び右脚用空気袋１５Ｌ，１５Ｒの膨縮の周期を制御部３２Ｌに指示するものである。
【００５２】
マイクロコンピュータからなる左脚用制御部３２Ｌは、操作部３１，左脚用エアーコンプレッサ２４Ｌ、送信部３３、及び左脚用空気袋１５Ｌと夫々接続している。この制御部３２Ｌは操作部３１に入力されたマッサージ情報に従って左脚用エアーコンプレッサ２４Ｌの駆動・停止、及び左脚用空気袋１５Ｌの排気弁の開閉を制御するとともに、前記マッサージ情報を送信部３３に伝達する。
【００５３】
送信部３３は、操作部３１で指示され、制御部３２Ｌを介して伝達された前記マッサージ情報を無線例えば赤外線等で右脚用駆動装置３０Ｒが備える受信部３４に送信するものである。
【００５４】
次に、右脚用駆動装置３０Ｒについて説明する。右脚用駆動装置３０Ｒは、右脚用エアーコンプレッサ２４Ｒ、右脚用制御部３２Ｒ、及び受信部３４が直方体形状のパッケージ（図示せず）に収容されてユニット化されている。この駆動装置３０Ｒは、第１の実施形態の駆動装置２０Ｒと同様に、右脚用カフ１０Ｒを右脚６０Ｒの下腿部に装着したときに左脚６０Ｌの下腿部と右側用カフ１０Ｒとの間に挟まれない位置、例えば、カフ１０Ｒの上端部の脛部６２の真中から外側にずれた斜め前方に配設されて、このカフ１０Ｒに取り付けられている。
【００５５】
マイクロコンピュータからなる右脚用制御部３２Ｒは、右脚用エアーコンプレッサ２４Ｒ、右脚用空気袋１５Ｒ、及び受信部３４と夫々接続している。後述するように、受信部３４には前記マッサージ情報が受信される。この制御部３２Ｒは受信部３４で受信された前記マッサージ情報に従って右脚用エアーコンプレッサ２４Ｒの駆動・停止、及び右脚用空気袋１５Ｒの排気弁の開閉を制御する。
【００５６】
既述のように、左脚用駆動装置３０Ｌが備える送信部３３からは前記マッサージ情報が無線例えば赤外線で送信される。受信部３４は送信部３３から送信された前記マッサージ情報を受信し、このマッサージ情報を右脚用制御部３２Ｒに伝達する。なお、以上説明した構成以外は、図５に示されない構成も含めて第１実施形態と同一ないし同様である。
【００５７】
このマッサージ装置１は、操作部３１で入力されたマッサージ情報に従って左脚用空気袋１５Ｌと右脚用空気袋１５Ｒとが同期して動作する。
【００５８】
すなわち、操作部３１を操作すると、マッサージ情報は左脚用制御部３２Ｌを介して左脚用エアーコンプレッサ２４Ｌに伝達され、このエアーコンプレッサ２４Ｌの運転により左脚用空気袋１５Ｌが動作する。実質的に同時に、前記マッサージ情報は左脚用制御部３２Ｌを介して送信部３３に伝達され、この送信部３３から無線で受信部３４に送信される。受信部３４で受信された前記マッサージ情報は、右脚用制御部３２Ｒを介して右脚用エアーコンプレッサ２４Ｒに伝達され、このエアーコンプレッサ２４Ｒの運転により右脚用空気袋１５Ｒが動作する。したがって、左脚用及び右脚用制御部３２Ｌ，３２Ｒには夫々前記マッサージ情報が伝達されることとなり、左脚用及び右脚用空気袋１５Ｌ，１５Ｒは前記マッサージ情報に従って同期して動作する。
【００５９】
以上のように、このマッサージ装置１では、第１の実施形態と同様の効果が得られる。しかも、このマッサージ装置１では、操作部３１を左脚用駆動装置３０Ｌに設け、左脚用駆動装置３０Ｌから右脚用駆動装置３０Ｒに向かう一方向の通信のみを可能としたものであるので、第１の実施形態と比べて簡単な構成で実現できる。
【００６０】
なお、この実施形態では、左脚用駆動装置３０Ｌに操作部３１及び送信部３３を設け、右脚用駆動装置３０Ｒに受信部３４を設けたが、右脚用駆動装置３０Ｒに操作部３１及び送信部３３を設け、左脚用駆動装置３０Ｌに受信部３４を設けてもよい。
【００６１】
以下、図６を参照して本発明の第３の実施形態を説明する。この実施形態は基本的には第２実施形態と同様な構成であるので、同一ないし同様な構成については第１の実施形態と同符号を付して、その構成及び作用の説明を省略し、以下、異なる部分について説明する。
【００６２】
この実施形態では、マッサージ装置１は、左脚用マッサージ機２Ｌと、右脚用マッサージ機２Ｒと、リモートコントローラ４０とを備えている。
【００６３】
リモートコントローラ４０は、操作部４１、リモートコントローラ用制御部４２、及び送信部４３等を備えている。操作部４１は、図示しないが、例えば電源釦、強度設定釦、速度設定釦等の各種操作釦を備えており、これらの操作釦を入力操作することで各種マッサージ情報をリモートコントローラ用制御部４２に指示するものである。電源釦はエアーコンプレッサ２４Ｌ，２４Ｒの駆動・停止を制御部４２に指示するものである。強度設定釦はマッサージの強さすなわち左脚用及び右脚用空気袋１５Ｌ，１５Ｒ内の圧力を制御部４２に指示するものである。速さ設定釦はマッサージの速さすなわち左脚用及び右脚用空気袋１５Ｌ，１５Ｒの膨縮の周期を指示するものである。
【００６４】
マイクロコンピュータからなるリモートコントローラ用制御部４２は、操作部４１及び送信部４３と夫々接続しており、操作部４１で入力されたマッサージ情報を送信部４３に伝達する。
【００６５】
送信部４３は、操作部４１で指示され、制御部４２を介して伝達された前記マッサージ情報を無線例えば赤外線等で後述する左脚用受信部５２Ｌ及び右脚用受信部５２Ｒに送信するものである。
【００６６】
左脚用マッサージ機２Ｌが備える左脚用駆動装置５０Ｌ及び右脚用マッサージ機２Ｒが備える右脚用駆動装置５０Ｒは夫々、左脚用及び右脚用エアーコンプレッサ２４Ｌ，２４Ｒ、左脚用及び右脚用制御部５１Ｌ，５１Ｒ、及び通信手段としての左脚用及び右脚用受信部５２Ｌ，５２Ｒ等を備えている。なお、左脚用及び右脚用エアーコンプレッサ２４Ｌ，２４Ｒは第１の実施形態と同じものを用いている。
【００６７】
まず、左脚用駆動装置５０Ｌについて説明する。左脚用駆動装置５０Ｌは、左脚用エアーコンプレッサ２４Ｌ、左脚用制御部５１Ｌ、及び左脚用受信部５２Ｌ等が直方体形状のパッケージ（図示せず）に収容されてユニット化されている。この駆動装置５０Ｌは、第１の実施形態の駆動装置２０Ｌと同様に、左脚用カフ１０Ｌを左脚６０Ｌの下腿部に装着したときに右脚６０Ｒの下腿部と左側用カフ１０Ｌとの間に挟まれない位置、例えば、カフ１０Ｌの上端部の脛部６２の真中から外側にずれた斜め前方に配設されて、このカフ１０Ｌに取り付けられている。
【００６８】
マイクロコンピュータからなる左脚用制御部５１Ｌは、左脚用エアーコンプレッサ２４Ｌ、左脚用受信部５２Ｌ、及び左脚用空気袋１５Ｌと夫々接続している。後述するように、左脚用受信部５２Ｌには前記操作部４２で入力されたマッサージ情報が受信される。この制御部５１Ｌは左脚用受信部５２Ｌで受信された前記マッサージ情報に従って左脚用エアーコンプレッサ２４Ｌの駆動・停止、及び左脚用空気袋１５Ｌの排気弁の開閉を制御する。
【００６９】
左脚用受信部５２Ｌは、リモートコントローラ４０が備える送信部４３から送信された前記マッサージ情報を受信し、このマッサージ情報を左脚用制御部５１Ｌに伝達する。
【００７０】
次に、右脚用駆動装置５０Ｒについて説明する。右脚用駆動装置５０Ｒは、右脚用エアーコンプレッサ２４Ｒ、右脚用制御部５１Ｒ、及び右脚用受信部５２Ｒ等が直方体形状のパッケージ（図示せず）に収容されてユニット化されている。この駆動装置５０Ｒは、第１の実施形態の駆動装置２０Ｒと同様に、右脚用カフ１０Ｒを右脚６０Ｒの下腿部に装着したときに左脚６０Ｌの下腿部と右側用カフ１０Ｒとの間に挟まれない位置、例えば、カフ１０Ｒの上縁部の脛部６２の真中から外側にずれた斜め前方に配設されて、このカフ１０Ｒに取り付けられている。
【００７１】
マイクロコンピュータからなる右脚用制御部５１Ｒは、右脚用エアーコンプレッサ２４Ｒ、右脚用受信部５２Ｒ、及び右脚用空気袋１５Ｒと夫々接続している。後述するように、右脚用受信部５２Ｒには前記操作部４１で入力されたマッサージ情報が受信される。この制御部は右脚用受信部で受信された前記マッサージ情報に従って右脚用エアーコンプレッサ２４Ｒの駆動・停止、及び右脚用空気袋１５Ｒの排気弁の開閉を制御する。
【００７２】
右脚用受信部５２Ｒは、リモートコントローラ４０が備える送信部４３から送信された前記マッサージ情報を受信し、このマッサージ情報を右脚用制御部５１Ｒに伝達する。なお、以上説明した構成以外は、図６に示されない構成も含めて第１実施形態と同一ないし同様である。
【００７３】
このマッサージ装置１は、リモートコントローラ４０の操作部４１で入力されたマッサージ情報に従って左脚用空気袋１５，１５ｂと右脚用空気袋１５Ｒとが同期して動作する。
【００７４】
すなわち、リモートコントローラ４０の操作部４１を操作すると、マッサージ情報はリモートコントローラ用制御部４２を介して送信部４３に伝達され、この送信部４３から無線で左脚用駆動装置５０Ｌが備える左脚用受信部５２Ｌと右脚用駆動装置５０Ｒが備える右脚用受信部５２Ｒに送信される。
【００７５】
左脚用受信部５２Ｌで受信された前記マッサージ情報は、左脚用制御部５１Ｌを介して左脚用エアーコンプレッサ２４Ｌに伝達され、このエアーコンプレッサ２４Ｌの運転により左脚用空気袋１５Ｌが動作する。右脚用受信部５２Ｒで受信された前記マッサージ情報は、右脚用制御部５１Ｒを介して右脚用エアーコンプレッサ２４Ｒに伝達され、このエアーコンプレッサ２４Ｒの運転により右脚用空気袋１５Ｒが動作する。したがって、左脚用及び右脚用制御部５２Ｌ，５２Ｒには夫々前記マッサージ情報が伝達されることとなり、左脚用及び右脚用空気袋１５Ｌ，１５Ｒは前記マッサージ情報に従って同期して動作する。
【００７６】
以上のように、このマッサージ装置１では、第１の実施形態と同様の効果が得られる。また、このマッサージ装置１では、操作部４１を備えるリモートコントローラ４０をマッサージ機２Ｌ，２Ｒと別体となっている。そのため、操作部４１を操作するときに前屈みになって駆動装置５０Ｌ，５０Ｒを操作する必要がなく、マッサージ強度設定或いは速度設定等の操作を容易に行うことができる。
【００７７】
なお、上記第１〜第３の実施形態のマッサージ装置１は、圧迫帯（カフ）１０Ｌ，１０Ｒと空気袋１５Ｌ，１５Ｒと駆動装置２０Ｌ，２０Ｒ，３０Ｌ，３０Ｒ，５０Ｌ，５０Ｒとを備えて構成されるマッサージ機２Ｌ，２Ｒを２組備えて構成し、第１の空気袋（左脚用空気袋）１５Ｌと第２の空気袋（右脚用空気袋）１５Ｒとを同期させて動作させるようにしているが、本発明のマッサージ装置は、第１の空気袋（左脚用空気袋）１５Ｌと第２の空気袋（右脚用空気袋）１５Ｒとを同期させて動作させるものでなければ、圧迫帯（カフ）と空気袋と駆動装置とを備えて構成されるマッサージ装置、すなわち、前記マッサージ機を１つからなるマッサージ装置としてもよい。
【００７８】
また、上記第１〜第３の実施形態のマッサージ装置１では、駆動装置２０Ｌ，２０Ｒ，３０Ｌ，３０Ｒ，５０Ｌ，５０Ｒをカフ１０Ｌ，１０Ｒの上縁部に設けているが、駆動装置２０Ｌ，２０Ｒ，３０Ｌ，３０Ｒ，５０Ｌ，５０Ｒは、第１、第２のカフ１０Ｌ，１０Ｒを脚部６０Ｌ，６０Ｒの下腿部に装着したときに下腿部と第１、第２のカフとの間に挟まれない位置であれば表側層１２の表面に取り付けてもよい。
【００７９】
本発明のマッサージ装置は、ふくらはぎ部をマッサージするものに限定されるものではなく、例えば、腿部や腕部等をマッサージするマッサージ装置にも適用できる。腕をマッサージするマッサージ装置に適用する場合、カフを腕に装着したときに胴体とカフとの間に挟まれない位置に駆動装置を配設すればよい。
【００８０】
【発明の効果】
本発明によれば、人体に巻き付けて装着していても人体の移動の邪魔になり難いマッサージ装置が得られる。
【図面の簡単な説明】
【図１】本発明の第１実施形態に係るマッサージ装置を示す斜視図。
【図２】図１のマッサージ装置を示す概略的平面図。
【図３】図１のマッサージ装置を示す断面図。
【図４】図１のマッサージ装置の給排気の制御系統を示すブロック図。
【図５】本発明の第２の実施形態に係るマッサージ装置の制御系統を示すブロック図。
【図６】本発明の第３の実施形態に係るマッサージ装置の制御系統を示すブロック図。
【符号の説明】
１…マッサージ装置
１０Ｌ，１０Ｒ…カフ（圧迫帯）
１５Ｌ，１５Ｒ…空気袋
２０Ｌ，２０Ｒ，３０Ｌ，３０Ｒ，５０Ｌ，５０Ｒ…駆動装置
２４Ｌ，２４Ｒ…エアーコンプレッサ
【図１】
2004147949.tif 000003
【図２】
2004147949.tif 000004
【図３】
2004147949.tif 000005
【図４】
2004147949.tif 000006
【図５】
2004147949.tif 000007
【図６】
2004147949.tif 000008